(57)【要約】  安全なモバイル・コンピューティングを可能にする可動性装置プラットフォームの一部として使用される可動性装置管理サーバが提供される。図示される実施例では、典型的な可動性装置プラットフォームは、少なくとも１つのコンピューティング環境と通信インターフェースを介して通信し、安全なウェブ・サービスを処理して記憶するために動作する可動性装置、データ及びコンピューティング・アプリケーションをウェブ・サービスを使用して通信するために動作する通信ネットワーク、並びにウェブ・サービスを可動性装置に対して生成し、処理し、記憶し、通信し、暗号化するために動作する可動性装置管理サーバを含む。更に、可動性装置管理サーバは、暗号化キーを協動する可動性装置に提供し、ウェブ・サービスを要求中の協動する可動性装置を可動性装置管理サーバから認証して検証する１又は複数の可動性装置管理機能を実行するために動作する。更に、可動性装置管理サーバ及び可動性装置は、ユーザ識別情報及びパスワード情報を使用して認証及び検証を実行するために動作する。更に、可動性装置管理サーバは、測定機能、及び可動性装置プラットフォームで処理され実行されるウェブ・サービスでのオペレーションを実行するために動作する。更に、可動性装置管理サーバは、可動性装置管理サーバと協動する可動性装置の間の断続的接続をサポートするために動作する。
2007519066.tif 000002
【特許請求の範囲】
【請求項１】
ウェブ・サービスを提供するサーバ・コンピューティング環境であって、
オペレーティングシステムを実行するために動作するハードウェア・プラットフォーム、
前記サーバ・コンピューティング環境と協働する構成要素の間で、ウェブ・サービス及び関連するウェブ・サービス・トランザクション・データを通信するために動作する通信インターフェース、
ウェブ・サービスを前記協働する構成要素によって処理できる固有の形式に変換できる変換モジュール、及び
前記協働する構成要素の認証情報及び検証情報を使用して１又は複数のウェブ・サービスに含まれるデータ及びコンピューティング・アプリケーションを暗号化するために動作する暗号化モジュールを含むことを特徴とするサーバ・コンピューティング環境。
【請求項２】
可動性装置管理プログラム、暗号化管理プログラム、ファイル転送管理プログラム、ウェブ・サービス管理プログラム、ウェブ・サービス・アクセス、ウェブ・サービス測定、ＵＤＤＩディレクトリ、ＵＤＤＩリポジトリ、ファイル・システム、ＳＯＡＰプロキシ、変換プログラム、及びサービスの質の何れかを含む常駐ウェブ・サービスを更に含むことを特徴とする、請求項１に記載のサーバ・コンピューティング環境。
【請求項３】
前記協働する構成要素を認証するためのセキュリティ・アプリケーション、通信ルータ、記憶領域ネットワーク（ＳＡＮ）／ネットワーク結合記憶装置（ＮＡＳ）制御装置アプリケーション、及び暗号化制御の何れかを含む常駐アプリケーションを更に含むことを特徴とする、請求項２に記載のサーバ・コンピューティング環境。
【請求項４】
前記サーバ・コンピューティング環境に、可動性装置ハードウェア・エミュレータ、暗号化制御、ユーザ認証、サービス制御、及びサーバ・コンピューティング環境制御の何れかを含むオペレーションを実行するように指示するための少なくとも１つの命令セットを提供するために動作可能なＪａｖａ(登録商標）仮想マシンを更に含むことを特徴とする、請求項３に記載のサーバ・コンピューティング環境。
【請求項５】
前記協働する構成要素を動作させる参加ユーザを表すデータを有するユーザ・データベースを更に含むことを特徴とする、請求項４に記載のサーバ・コンピューティング環境。
【請求項６】
前記サーバ・コンピューティング環境による１又は複数の暗号化プロセスで使用される暗号化キーを表すデータを有するキー・データベースを更に含むことを特徴とする、請求項５に記載のサーバ・コンピューティング環境。
【請求項７】
ファイルを記憶するために動作するファイル／データ記憶装置を更に含むことを特徴とする、請求項６に記載のサーバ・コンピューティング環境。
【請求項８】
前記ファイル／データ記憶装置が、暗号化されたファイルを記憶して処理するために動作することを特徴とする、請求項７に記載のサーバ・コンピューティング環境。
【請求項９】
前記ファイル／データ記憶装置が、ファイル・アロケーション・テーブル（ＦＡＴ）、又は新技術のファイル・システム（ＮＴＦＳ）の何れかを含むことを特徴とする、請求項８に記載のサーバ・コンピューティング環境。
【請求項１０】
前記サーバ・コンピューティング環境を協働するデータ記憶装置に接続するために動作するＳＡＮ／ＮＡＳ通信インターフェースを更に含むことを特徴とする、請求項９に記載のサーバ・コンピューティング環境。
【請求項１１】
ウェブ・サービスを処理しているときに暗号化命令を処理するために動作する暗号化ドライバを更に含むことを特徴とする、請求項１０に記載のサーバ・コンピューティング環境。
【請求項１２】
協働する通信ハードウェア構成要素とインターフェースしてウェブ・サービスと通信するために動作する通信インターフェース・ドライバを更に含むことを特徴とする、請求項１１に記載のサーバ・コンピューティング環境。
【請求項１３】
前記サーバ・コンピューティング環境が１又は複数のサーバ・コンピューティング環境サブモジュールを起動して、ウェブ・サービスに対する要求を処理し、
前記サブモジュールが、常駐サービス、常駐アプリケーション、ＳＯＡＰ連鎖、及びＪａｖａ(登録商標）仮想マシンの何れかを含むことを特徴とする、請求項１２に記載のサーバ・コンピューティング環境。
【請求項１４】
前記サーバ・コンピューティング環境が、ウェブ・サービスに対する要求を提供する少なくとも１つの可動性装置と協働することを特徴とする、請求項１に記載のサーバ・コンピューティング環境。
【請求項１５】
前記可動性装置を認証することができる管理モジュールを更に含むことを特徴とする、請求項１に記載のサーバ・コンピューティング環境。
【請求項１６】
協働するコンピューティング環境の間でデータ及びコンピューティング・アプリケーションを安全に通信するための方法であって、
ウェブ・サービスを処理できるサーバ・コンピューティング環境を提供し、
前記サーバ・コンピューティング環境とウェブ・サービスを要求する協働する構成要素の間の通信を確立し、
前記協働する構成要素を認証して、要求されたウェブ・サービスに対する権利及びパーミッションを有することを保証し、及び
ウェブ・サービスを認証された協働する構成要素に伝達する諸ステップを含むことを特徴とする方法。
【請求項１７】
前記データ及びコンピューティング・アプリケーションを、ウェブ・サービスの一部として暗号化するステップを更に含むことを特徴とする、請求項１６に記載の方法。
【請求項１８】
前記要求されたウェブ・サービスを、前記ウェブ・サービスを要求中の前記協働する構成要素に固有の形式に変換するステップを更に含むことを特徴とする、請求項１６に記載の方法。
【請求項１９】
前記認証された協働する構成要素に伝達される前記ウェブ・サービスで、オペレーションの測定を実行するステップを更に含むことを特徴とする、請求項１６に記載の方法。
【請求項２０】
ウェブ・サービスを処理するための方法であって、
協働する構成要素からウェブ・サービスに対する要求を受信し、
前記協働する構成要素を認証して、前記協働する構成要素が前記要求されたウェブ・サービスに対する権利及び特権を有するか否かを識別し、
前記協働する構成要素を認証したら直ぐ、要求中の構成要素に対する通信のための前記ウェブ・サービスを暗号化し、及び
前記要求されたウェブ・サービスを、前記認証された協働する構成要素に伝達する諸ステップを含むことを特徴とする方法。
【請求項２１】
前記要求されたウェブ・サービスを、要求中の構成要素に固有の形式に変換するステップを更に含むことを特徴とする、請求項２０に記載の方法。
【請求項２２】
前記認証された協働する構成要素に伝達される前記ウェブ・サービスで、オペレーションの測定を実行するステップを更に含むことを特徴とする、請求項２１に記載の方法。
【請求項２３】
以下の方法を実行するコンピュータに指示するためのコンピュータ読み取り可能な命令を有するコンピュータ読み取り可能な媒体であって、前記方法が、
協働する構成要素からウェブ・サービスに対する要求を受信し、
前記協働する構成要素を認証して、前記協働する構成要素が前記要求されたウェブ・サービスに対する権利及び特権を有するか否かを識別し、
前記協働する構成要素を認証したら直ぐ、要求中の構成要素に対する通信のための前記ウェブ・サービスを暗号化し、及び
前記要求されたウェブ・サービスを、前記認証された協働する構成要素に伝達する諸ステップを含むことを特徴とする媒体。
【請求項２４】
ウェブ・サービスを安全に伝達するシステムであって、
ウェブ・サービスを処理するための第１の手段、
ウェブ・サービス、及び関連するウェブ・サービス・トランザクション・データを記憶するための第２の手段、
前記ウェブ・サービスを、協働する構成要素によって提供された認証情報及び検証情報を使用して暗号化するための第３の手段、
前記ウェブ・サービスを、前記協働する構成要素によって処理できる固有の形式に変換するための第４の手段、及び
前記ウェブ・サービスを、前記協働する構成要素に伝達するための第５の手段を含むことを特徴とするシステム。
【請求項２５】
前記協働する構成要素による前記ウェブ・サービスの使用量を測定するための第６の手段を更に含むことを特徴とする、請求項２４に記載のシステム。
【請求項２６】
前記協働する構成要素を認証するための第７の手段を更に含むことを特徴とする、請求項２５に記載のシステム。
【発明の詳細な説明】
【技術分野】
【０００１】
本願は、2003年09月29日に出願された米国特許仮出願第60/507,197号「GO-KEY SYSTEM」、第60/506,918号「GO-KEY ONLINE MUSIC SUBSCRIPTION AND DISTRIBUTION APPLICATION AND SERVICE」、第60/506,919号「GO-KEY E-MAIL APPLICATION AND SERVICE」、第60/506,925号「GO-KEY MOBILE DESKTOP ENVIRONMENT」、及び2004年01月23日に出願された第60/543,735号「MDMS」、第60/538,763号「OMNI FILE SYSTEM (OFS)」、第60/538,915号「UDDI DIRECTORY」、第60/538,767号「UDDI REPOSITORY」の利益を主張する。加えて、本願は、米国同時係属出願第XX/XXX,XXX号「MOBILITY DEVICE」、及び第XX/XXX,XXXX号「MOBILITY DEVICE PLATFORM」を参照する。
【０００２】
本発明のシステム及び方法はモバイル・コンピューティング技術に関し、更に詳細には、安全なリモート・モバイル・コンピューティングを可能にする可動性装置管理サーバに関する。
【背景技術】
【０００３】
企業及び個人は、同様に、コンピューティング環境の特徴として可動性をますます要求する。企業にとって、可動性は社員をバラバラな地理的位置に配置することを可能にし、企業がより良いサービスを顧客に提供することを可能にする。例えば、大規模な製薬会社は、営業社員を見込み客（例えば、医師）に近い「フィールド」に配置したい。その様な状況で、「フィールド」社員は、機密扱いの営業・マーケティング情報、及びコンピューティング・アプリケーションに安全な接続を介してアクセスしたい。現在のソリューションによって、これらの社員は、１日の終わりに企業ネットワークと安全なコンピュータ・ネットワーク接続（例えば、仮想専用ネットワーク）を通して「同期」する煩雑な仕事が残されることが多い。比較してみると、個人は、データ及びコンピューティング・アプリケーションに近づく機能、更に詳細には、インターネット通信の時代に「接続して」断続的にとどまる機能を可能にするコンピューティング環境に可動性を要求する。
【０００４】
モバイル・コンピューティングに対する必要性に対応して、コンピューティング環境製造業者は、人々がコンピューティング環境を路上で楽しむことを可能にする（例えば、スタンドアロンの、ネットワーク化された、及び／又は組み込み）モバイル・コンピューティング技術を開発した。その種のモバイル装置は、ユーザがファイル及びアプリケーションを常に「持ち運ぶ」ことを可能にすることを目的とする。可動性を提供しても、形状的因子、処理能力、及び携帯性において変化するときに、これらの装置は辛うじて有効である。その種の制限によって、ユーザは必要なファイル及びコンピューティング・アプリケーションの全てを持つことを保証する大型の携帯型コンピュータを苦労して持ち歩くことが多い。その種の慣習は、コンピューティング・システムの固有の（即ち、「装置中心」コンピューティングを利用する）設計を前提とする。
【０００５】
「装置中心」コンピューティングによって、ユーザはリモート通信アプリケーション（例えば、仮想専用ネットワーク）を介してファイルにリモートで安全にアクセスできるが、データ及びコンピューティング・アプリケーションを検索する大型の煩雑なコンピューティング手段をまだ持ち歩かなければならない。更に詳細には、装置中心コンピューティングによって、ユーザは企業コンピューティング要求に対する１つの装置（例えば、会社のパーソナル・コンピュータ、又はラップトップ・コンピュータ）を一般に支給され、１又は複数のコンピューティング環境を自宅に個人用として一般に有する。複数のコンピューティング環境を維持することにおいて、コンピュータ・ユーザは、個別の選択及び設定を多くの異なるコンピューティング環境の間で同期させる仕事を課される。その種の仕事はどうひいき目に見ても骨が折れ、コンピュータ・ユーザを多くの異なるコンピューティング環境の間で所望するデータ及び／又はコンピューティング・アプリケーションにアクセスできないままにすることが多い。
【０００６】
例えば、コンピュータ・ユーザは、彼（又は、彼女）の財務計画及び管理コンピューティング・アプリケーション（例えば、 Quicken, Microsoft Money）からの財務計画及び管理データを常に持ち、生じる支払い（例えば、失効した請求書）を処理したい。現在のソリューションによって、彼（又は、彼女）がこの所望するデータにアクセスできるように、コンピューティング・ユーザは財務計画、管理コンピューティング・アプリケーション、及びデータを（会社のコンピューティング施策及び手続きに違反する彼（又は、彼女）の会社のコンピュータを含む）各自のコンピューティング環境にインストールする。比較してみると、企業は解雇される従業員からの機密扱いの企業データへの全てのアクセスを効果的かつ直ちに終了させたい。装置中心コンピューティングに基づく現在の慣習では、従業員は彼らのコンピューティング環境（例えば、ラップトップ・コンピュータ、パーソナル・コンピュータ、携帯電話、又は携帯情報端末）を提出するように求められる。加えて、直ぐに解雇される従業員は、企業ユーザ・ディレクトリ情報を終了させることによって、企業データの使用を制限される。しかし、その種の装置を回収すること、及びアクセスを終了させることには固有の待ち時間が存在する。その種の待ち時間は、従業員がファイルを企業コンピューティング環境から後で使用するためにコピーすることを招く。そういうものであるから、既存の慣習では、機密扱いの企業データが改竄されるかもしれない。
【発明の開示】
【発明が解決しようとする課題】
【０００７】
上記のことから、既存の慣習の短所を克服する必要性が存在する。
【課題を解決するための手段】
【０００８】
安全なモバイル・コンピューティングを可能にする可動性装置プラットフォームの一部として使用される可動性装置管理サーバが提供される。図示される実施例では、典型的な可動性装置プラットフォームは、少なくとも１つのコンピューティング環境と通信インターフェースを介して通信し、安全なウェブ・サービスを処理して記憶するために動作する可動性装置、データ及びコンピューティング・アプリケーションをウェブ・サービスを使用して通信するために動作する通信ネットワーク、並びにウェブ・サービスを可動性装置に対して生成し、処理し、記憶し、通信し、暗号化するために動作する可動性装置管理サーバを含む。更に、可動性装置管理サーバは、暗号化キーを協動する可動性装置に提供し、ウェブ・サービスを要求中の協動する可動性装置を可動性装置管理サーバから認証して検証する１又は複数の可動性装置管理機能を実行するために動作する。更に、可動性装置管理サーバ及び可動性装置は、ユーザ識別情報及びパスワード情報を使用して認証及び検証を実行するために動作する。更に、可動性装置管理サーバは、測定機能、及び可動性装置プラットフォームで処理され実行されるウェブ・サービスでのオペレーションを実行するために動作する。更に、可動性装置管理サーバは、可動性装置管理サーバと協動する可動性装置の間の断続的接続をサポートするために動作する。
【０００９】
オペレーションでは、典型的な可動性装置は、協動するコンピューティング環境で使用するように形成される。更に、可動性装置は、協動する１又は複数の可動性装置管理サーバと通信を確立し、選択された認証情報及び検証情報を使用して協動する１又は複数の可動性装置管理サーバによって認証及び検証されることを試みる。認証及び検証されると直ぐ、協動する１又は複数の可動性装置管理サーバは、協動する典型的な可動性装置からのデータ及びコンピューティング・アプリケーションに対する要求を、ウェブ・サービスを使用して処理する。ウェブ・サービスは、典型的な選択された認証情報及び検証情報（例えば、キー）を使用して、協動する１又は複数の可動性装置管理サーバによって暗号化され、協動する１又は複数の可動性装置管理サーバ及び典型的な可動性装置から要求されたデータ及びコンピューティング・アプリケーションの安全な通信を可能にする。
【００１０】
本発明のシステム及び方法の他の特徴が、以下に記載される。
【発明を実施するための最良の形態】
【００１１】
本発明のシステム及び方法は、「ユーザ中心」アプローチをコンピューティング及びモバイル・コンピューティングに提供する。一般に、（企業又は個人の）現在のコンピューティング・ソリューションは、「装置中心」モデルを使用して設計される。装置中心モデルは、装置の割当て及び指定に基づいてユーザを管理し追跡することを目的とする。例えば、企業コンピューティングという状況では、企業コンピューティング環境は、多数のサーバ・コンピューティング環境、及び多数のクライアント・コンピューティング環境を含む。一般に、企業の各ユーザは、サーバ・コンピューティング環境に企業通信インターフェースを通して（又は、もしユーザが企業通信ネットワークに対してリモートであれば、仮想専用ネットワーク（ＶＰＮ）を通して）一般にネットワーク化されたクライアント・コンピューティング環境（例えば、パーソナル・コンピュータ、又はラップトップ・コンピュータ）を支給される。加えて、従来の企業コンピューティング環境では、ユーザの権利及び特権を企業データ及びコンピューティング・アプリケーションに関連付けるディレクトリ・サービス構造を通して、ユーザはユーザ識別情報及びパスワード情報を提供される。
【００１２】
その種の企業コンピューティング環境によって、もしユーザがネットワーク中をうろついて自分以外のコンピューティング環境にログオンしたら、個別の選択及び設定にアクセスしないように、ユーザは支給された彼（又は、彼女）のコンピューティング環境を彼（又は、彼女）の選択及び設定でカスタマイズすることを許可されるだけであることが多い。また、この問題は、選択及び設定（例えば、ブラウザ・ブックマーク、デスクトップのルック・アンド・フィール、色彩設計、アプリケーションのレイアウト、及びファイルに対するディレクトリ構造）を企業コンピューティング環境と個人のコンピューティング環境（例えば、自宅のコンピュータ）の間の同期を維持したい企業ユーザが同期を手動で実行することが多いときにも見られる。
【００１３】
更に、既存の企業コンピューティング環境によって、多数のクライアント・コンピューティング環境の管理は困難な仕事になった。現在、企業は、（数百ではない）数十単位の情報技術部門を雇用して、多くのユーザ及びコンピューティング環境をサポートしている。単なる物理的管理以上に、企業データの保全性及びセキュリティが、装置中心コンピューティング・モデルによって稼働させられる。その様な状況で、企業コンピューティング・ユーザは、機密扱いの企業データのコピー及び構成における自分の意志を放置することが多い。企業ファイル及びデータの無許可コピーをユーザにさせない仕事はどうひいき目に見ても困難なので、殆どの企業は見て見ぬふりをする。既存の慣習のその種の限定は、企業及び個人に対して同様に非常に高くつく。
【００１４】
本発明のシステム及び方法は、「ユーザ中心」モデルを使用して設計された可動性装置プラットフォーム（ＭＤＰ）を提供することによって既存の慣習の短所を改善することを目的とする。図示される実施例では、可動性装置プラットフォームは、１又は複数の協動するコンピューティング環境（例えば、パーソナル・コンピュータ、携帯情報端末、携帯電話、ネットワーク化されたコンピュータ、及び他のコンピューティング環境）と通信インターフェース（例えば、ユニバーサル・シリアル・バス（ＵＳＢ）、IEEE 1394通信インターフェース（FireWire）、802.XX通信インターフェース、Bluetooth通信インターフェース、パーソナル・コンピュータ・インターフェース、小型コンピュータ・シリアル・インターフェース、及び無線アプリケーション・プロトコル（ＷＡＰ）通信インターフェース）を通して通信するために動作する少なくとも１つの可動性装置（ＭＤ）を含む。加えて、可動性装置プラットフォームは、認証及び検証、並びにユーザ管理を協動する可動性装置及びそれらのユーザに提供するために動作する１又は複数の可動性装置管理サーバ（ＭＤＭＳ）を含む。
【００１５】
オペレーションでは、可動性装置は、ウェブ・サービスを処理するための１又は複数の作業領域を呼び出す１又は複数のコンピューティング環境と協働する。ウェブ・サービスは、ＭＤに近いデータ及びコンピューティング・アプリケーションから実行されるか、又はＭＤは１又は複数のＭＤＭＳと協働して所望するウェブ・サービスを得る。ＭＤＭＳは、要求中のＭＤが要求されたウェブ・サービスに対する権利及び特権を有することを認証するために動作する。加えて、ＭＤＭＳはサード・パーティ・ウェブ・サービス・プロバイダと協働して、要求されたウェブ・サービスを得る。その様な状況で、ＭＤＭＳは、ウェブ・サービスを非ＭＤ固有のウェブ・サービス形式からＭＤ固有のウェブ・サービス形式に変換するために機能する。ウェブ・サービスがＭＤＭＳから協動ＭＤへ通信するとき、ＭＤＭＳ及びＭＤは、ユーザ及び装置の認証情報及び検証情報を使用して１０２８ビット及び／又は２０５６ビット暗号化（例えば、ＰＫＩ暗号化）に従事する。ＭＤＭＳによってＭＤへ提供されたウェブ・サービスは、（限定されないが）コンピューティング・アプリケーション、及び所望するデータを含む。加えて、ＭＤはＭＤに近い参加ユーザのカスタマイズされた設定及び選択を記憶するために動作するので、ＭＤはユーザに対して常に利用可能である。
【００１６】
そういうものであるから、可動性装置プラットフォームによって、ユーザは任意の数の協動するコンピューティング環境を横断して、カスタマイズされた設定及び選択にアクセスできること、更に詳細には、（例えば、ウェブ・サービスとして提供されたような）コンピューティング・アプリケーション及びファイルに安全にアクセスできることを確信する。
【００１７】
［ウェブ・サービス］
一般に、ウェブ・サービス（又は、アプリケーション・サービス）と呼ばれる、通信ネットワーク（例えば、インターネット）を通して提供されるサービスが進歩している。同様に、その種のサービスを容易にする技術も進歩している。ウェブ・サービスは、アプリケーション（又は、エンドユーザ）によって使用されるために便利にパッケージされたビジネス論理プロセスを実行する情報源として定義される。次第に、ウェブ・サービスは、ネットワークを通して機能を提供する手段になってきた。一般に、ウェブ・サービスは、プログラム、及びエンド・ユーザのためのアプリケーション・サーバ（及び、他のネットワーク接続されたアプリケーション・プログラム）から利用可能にされるデータの組み合わせを含む。ウェブ・サービスは、記憶管理、及び顧客関係管理のようなサービスから更に限定されたサービス（例えば、株価の提供、及び競売への入札のチェック）まで及ぶ。
【００１８】
ウェブ・サービスの使用を定義して標準化することに焦点を合わせた活動は、ウェブ・サービス記述言語（ＷＳＤＬ）の開発を含む。ＷＳＤＬは、ウェブ・サービスを文書指向情報、又は手続き指向情報の何れかを含むメッセージで動作する１組のエンドポイントとして記述するための拡張マークアップ言語（ＸＭＬ）形式である。オペレーション及びメッセージは抽象的に記述され、具体的なネットワーク・プロトコル、及びエンドポイントを定義するメッセージ形式に結び付く。関連する具体的なエンドポイントは、抽象エンドポイント（サービス）と合体する。
【００１９】
現在、推奨されるウェブ・サービス利用モデルは、一般に以下のようである。
【００２０】
（１）サービスは、（サーバ・サイドと呼ばれることが多い）１つのサイトで実施されて展開される。
【００２１】
（２）サービスはＷＳＤＬを使用して記述され、手段（例えば、ＵＤＤＩ（Universal Description,Discovery,and Integration））を介して掲載される。ＵＤＤＩは、提供するウェブ・サービスによってインターネットに自らをリストする世界中のビジネスのためのＸＭＬに基づくレジストリである。
【００２２】
（３）クライアント・アプリケーションは、ウェブ・サービスを（クライアント・サイドと呼ばれることが多い）他のサイトにおいて、１又は複数のＷＳＤＬドキュメントを最初に逐次解釈することによって使用する。いったん逐次解釈されたら、クライアントは、関連するサービスの特性を理解できる。例えば、サービス特性は、サービスＡＰＩ仕様（例えば、（ａ）入力データ型、（ｂ）サービス入力データ形式、（ｃ）サービス・アクセス機構、又はスタイル（例えば、ＲＰＣ対メッセージング）、及び（ｄ）関連する符号化形式）を含む。
【００２３】
（４）クライアント・アプリケーションは、種々の特定のウェブ・サービスが理解する方法でデータを準備する。
【００２４】
（５）クライアント・アプリケーションは、特定のサービスを、サービスに対して指定された方法によって、例えば、関連するＷＳＤＬドキュメントで呼び出す。
【００２５】
入力データの形式、及びウェブ・サービスが呼び出される方法に対して、多くの相違点がウェブ・サービスの間に存在する。例えば、１つのアプリケーション・サービス・プロバイダが、単一の入力パラメータ（例えば、従来の都市名（例えば、 Salt Lake City に対して SLC））を要求するサービス（getCityWeather）を提供すると仮定する。その種のサービスを呼び出す傾向があるクライアント・アプリケーションが書き込まれることを要求するので、都市情報を抽出するために内部の（又は、アプリケーションによって出力された）データを解析することができる。実行時には、準備された記号は、getCityWeatherサービス・サイトに適切なＡＰＩを使用して伝わる。
【００２６】
しかし、他のアプリケーション・サービス・プロバイダが、２つの入力パラメータ（例えば、都市名、及び郵便番号）を要求する類似のサービスを提供すると仮定する。従って、もしクライアント・アプリケーションがこの第２のサービスを呼び出す予定があれば、クライアント・アプリケーションは、第２のサービスのデータを要求されたサービス入力パラメータに対して適切に解析して抽出する必要がある。従って、もし単一のアプリケーションが両方のサービスを呼び出す予定があれば、アプリケーションはサービス特有のＡＰＩ情報及び手続きを用いてハードコード化されなければならない。更に、もしアプリケーションが多数のサービスを呼び出す予定があれば、アプリケーションは（アプリケーションが呼び出す予定の）各々及び全てのサービスに関連するサービス特有のＡＰＩ情報及び手続きを用いてハードコード化しなければならない。
【００２７】
上で説明したように、種々のウェブ・サービスは類似の機能を提供するが、多くのやり方で異なる。本発明のシステム及び方法は、データをウェブ・サービス・プロバイダから受信して協動する可動性装置に対して固有のウェブ・サービス・モデルで提示するために動作するウェブ・サービス変換モジュールを（他の間に）含むモバイル装置管理サーバを有する可動性装置プラットフォームを提供することによって、その種の不均衡を改善することを目的とする。
【００２８】
［シンプル・オブジェクト・アクセス・プロトコル（ＳＯＡＰ）］
シンプル・オブジェクト・アクセス・プロトコル（ＳＯＡＰ）は、分散した環境で情報を交換するための軽快なＸＭＬに基づくプロトコルである。ＳＯＡＰは、情報交換の異なるスタイルをサポートする。即ち、
【００２９】
エンドポイントが手続き指向メッセージを受信し、相関する応答メッセージによって応答する、要求−応答処理を可能にするリモート・プロシージャ・コール・スタイル（ＲＰＣ）。
【００３０】
メッセージは送信されるが、送信者は即時の応答を期待しない（又は、待たない）、ビジネス（又は、他の型の）ドキュメントを交換する必要がある構成及びアプリケーションをサポートするメッセージ指向情報交換を含む。
【００３１】
一般に、ＳＯＡＰメッセージは、２つのデータ構造、ＳＯＡＰヘッダ、及びＳＯＡＰボディを含むＳＯＡＰエンベロープ、並びにそれらを定めるネーム空間についての情報を含む。ヘッダはオプションであり、存在するとき、ヘッダはＳＯＡＰボディで定められた要求についての情報を運ぶ。例えば、ヘッダは、トランザクション情報、セキュリティ情報、文脈情報、又はユーザ・プロファイル情報を含む。ボディはウェブ・サービス要求を含むか、又は要求にＸＭＬ形式で応答する。ＳＯＡＰメッセージの高レベル構造が、以下の図に示される。
【００３２】
（ウェブ・サービス要求、及び応答を運ぶために使用されるとき）ＳＯＡＰメッセージは、利用可能なウェブ・サービスのウェブ・サービス記述言語（ＷＳＤＬ）に従う。ＷＳＤＬは、ウェブ・サービスにアクセスするために使用されるＳＯＡＰメッセージ、その種のＳＯＡＰメッセージが交換されるプロトコル、及びこれらのウェブ・サービスがアクセスされるインターネット・ロケーションを記述できる。ＷＳＤＬ記述子はＵＤＤＩ、又は他のディレクトリ・サービスに存在でき、また機器構成、又は他の手段（例えば、ＳＯＡＰ要求応答のボディで）を介して提供できる。
【００３３】
要求及び応答を符号化するための標準的な方法を提供するＳＯＡＰ規格書（例えば、 http://www.w3.orgで見出されるw3 SOAP規格書）が存在する。ＳＯＡＰ規格書は、メッセージ・ペイロードの構造及びデータ型をＸＭＬスキーマを使用して記述する。ＳＯＡＰがウェブ・サービスのメッセージ及び応答に対して使用される方法は以下のようである。
【００３４】
ＳＯＡＰクライアントが、ＳＯＡＰ規格書に従いサービスに対する要求を含むＸＭＬドキュメントを使用する。
【００３５】
ＳＯＡＰクライアントがドキュメントをＳＯＡＰサーバへ送信し、サーバで実行中のＳＯＡＰサーブレットがドキュメントを、例えば、ＨＴＴＰ又はＨＴＴＰＳを使用して処理する。
【００３６】
ウェブ・サービスがＳＯＡＰメッセージを受信し、メッセージをサービス呼出しとして要求されたサービスを提供するアプリケーションへ発送する。
【００３７】
サービスからの応答がＳＯＡＰサーバへ（ＳＯＡＰプロトコルを再び使用して）戻され、このメッセージが送信元ＳＯＡＰクライアントへ戻される。
【００３８】
ＳＯＡＰは本発明のシステム及び方法のための通信プロトコルとして記載されているが、その種の記述は本発明のシステム及び方法の単なる例示であり、種々の通信プロトコル及びメッセージ規格を利用できる。
【００３９】
［コンピューティング環境の例示］
図１は、本発明のシステム及び方法による典型的なコンピューティング・システム１００を示す。コンピューティング・システム１００は、多様なオペレーティングシステム１８０、及びオペレーティングシステム１８０で動作可能なコンピューティング・アプリケーション１８０’（例えば、ウェブブラウザ、及びモバイル・デスクトップ環境）を実行できる。典型的なコンピューティング・システム１００は、コンピュータ読み取り可能な命令によって主に制御され、コンピュータ読み取り可能な命令はソフトウェア（その種のソフトウェアが記憶されアクセスされる場所及び方法）の形態である。その種のソフトウェアは中央処理装置（ＣＰＵ）１１０の内部で実行され、データ処理システム１００を動作させる。多くの既知のコンピュータ・サーバ、ワークステーション、及びパーソナル・コンピュータでは、中央処理装置１１０は、マイクロプロセッサと呼ばれるマイクロ・エレクトロニクス・チップＣＰＵによって実施される。コプロセッサ１１５は（主ＣＰＵ１１０とは別の）オプションのプロセッサであり、追加の機能を実行するか、又はＣＰＵ１１０を補助する。ＣＰＵ１１０は、コプロセッサ１１５に相互接続１１２を介して接続される。１つの一般的な型のコプロセッサは浮動小数点コプロセッサ（又は、数値演算コプロセッサ）であり、浮動小数点コプロセッサは数値計算を汎用ＣＰＵ１１０よりも速く適切に実行するように設計される。
【００４０】
図示されたコンピューティング環境は単一のＣＰＵ１１０を含むように示されるが、その種の記述は単なる例示であり、コンピューティング環境１００は多数のＣＰＵ１１０を含んでもよい。加えて、コンピューティング環境１００は、通信ネットワーク１６０、又は他のデータ通信手段（図示されない）を介してリモートＣＰＵ（図示されない）のリソースを活用する。
【００４１】
オペレーションでは、ＣＰＵ１１０が命令をフェッチ、デコード、及び実行し、他のリソースへ／からコンピュータの主データ転送経路（システム・バス１０５）を介して情報を転送する。その種のシステム・バスは、構成要素をコンピューティング・システム１００の中で接続し、データ交換のための媒体を定める。一般に、システム・バス１０５は、データを送信するためのデータ・ライン、アドレスを送信するためのアドレス・ライン、及び割り込みを送信してシステム・バスを動作させるための制御ラインを含む。その種のシステム・バスの実施例は、ＰＣＩ（Peripheral Component Interconnect）バスである。今日の進歩したバスの中には、拡張カード、制御装置、及びＣＰＵ１１０によってバスへのアクセスを統制するバス裁定と呼ばれる機能を提供するものもある。これらのバスに付属し、調停してバスを占有する装置は、バスマスタと呼ばれる。また、バスマスタ・サポートは、マルチプロセッサ形態のバスが、プロセッサ及びサポート・チップを含むバスマスタ・アダプタの追加によって創出されることを可能にする。
【００４２】
システム・バス１０５に結合されたメモリ装置は、ランダム・アクセス・メモリ（ＲＡＭ）１２５、及び読出し専用メモリ（ＲＯＭ）１３０を含む。その種のメモリは、情報が記憶されて検索されることを可能にする回路を含む。一般に、ＲＯＭ１３０は、修正できない記憶データを含む。ＲＡＭ１２５に記憶されたデータは、ＣＰＵ１１０（又は、他のハードウェア装置）によって読み出し（又は、変更）可能である。ＲＡＭ１２５及び／又はＲＯＭ１３０へのアクセスは、メモリ制御装置１２０によって制御される。メモリ制御装置１２０は、命令が実行されるときに仮想アドレスを物理アドレスに変換するアドレス変換機能を提供する。また、メモリ制御装置１２０は、システム内部の複数プロセスを隔離し、システム・プロセスをユーザ・プロセスから隔離するメモリ保護機能を提供する。従って、通常は、ユーザ・モードで実行中のプログラムは、自らのプロセス仮想アドレス空間によってマッピングされたメモリのみにアクセスでき、プロセス間で共用するメモリが設定されるまで他のプロセスの仮想アドレス空間の内部のメモリにアクセスできない。
【００４３】
加えて、コンピューティング・システム１００は、ＣＰＵ１１０から周辺機器（例えば、プリンタ１４０、キーボード１４５、マウス１５０、及びデータ記憶ドライブ１５５）への命令伝達を担当する周辺機器制御装置１３５を含む。
【００４４】
（ディスプレイ制御装置１６３によって制御される）ディスプレイ１６５は、コンピューティング・システム１００によって生成された可視出力を表示するために使用される。その種の可視出力は、テキスト、グラフィックス、動画、及びビデオを含む。ディスプレイ１６５は、ＣＲＴに基づくビデオ・ディスプレイ、ＬＣＤに基づくフラット・パネル・ディスプレイ、ガス・プラズマに基づくフラット・パネル・ディスプレイ、タッチ・パネル、又は他のディスプレイ形態を用いて実施される。ディスプレイ制御装置１６３は、ディスプレイ１６５へ送信されるビデオ信号を生成するために必要な電子構成要素を含む。
【００４５】
更に、コンピューティング・システム１００は、コンピューティング・システム１００を外部通信ネットワーク１６０に接続するために使用されるネットワーク・アダプタ１７０を含む。通信ネットワーク１６０は、コンピュータ・ユーザにソフトウェア及び情報を電子的に伝達及び転送する手段を提供する。加えて、通信ネットワーク１６０は分散処理を提供し、分散処理は、複数のコンピュータ、及び作業負荷の分担（又は、作業の実行における協調的努力）を含む。図示されるネットワーク接続は典型的であり、コンピュータの間に通信リンクを確立する他の手段も使用してよい。
【００４６】
典型的なコンピュータ・システム１００は、本発明のシステム及び方法が動作するコンピューティング環境の単なる例示であり、本明細書の記載と異なる構成要素及び機器構成を有するコンピューティング環境における本発明のシステム及び方法の実施例が、種々の構成要素及び機器構成を有する種々のコンピューティング環境で実施されることを制限しない。
【００４７】
［コンピュータ・ネットワーク環境の例示］
上記のコンピューティング・システム１００は、コンピュータ・ネットワークの一部として展開できる。一般に、コンピューティング環境に対する上の記述は、ネットワーク環境の中で展開されたサーバ・コンピュータ及びクライアント・コンピュータの両方に適用される。図２は（クライアント・コンピュータと通信ネットワークを介して通信するサーバを有する）典型的なネットワーク化されたコンピューティング環境２００を示し、コンピューティング環境２００では、本発明のシステム及び方法が利用される。図２に示されるように、サーバ２０５は、（有線又は無線ＬＡＮ、ＷＡＮ、イントラネット、エクストラネット、ピア・トゥ・ピア・ネットワーク、インターネット、又は他の通信ネットワークの何れか１つ、又は組み合わせである）通信ネットワーク１６０を介して、多数のクライアント・コンピューティング環境（例えば、タブレット・パーソナル・コンピュータ２１０、携帯電話２１５、電話２２０、パーソナル・コンピュータ１００、及び携帯情報端末２２５）と相互接続する。加えて、本発明のシステム及び方法は、自動車コンピューティング環境（図示されない）、消費者コンピューティング環境（図示されない）、及びビル自動制御コンピューティング環境（図示されない）と通信ネットワーク１６０を介して協働する。例えば、通信ネットワーク１６０がインターネットであるネットワーク環境では、サーバ２０５は、多数の既知のプロトコル（例えば、ハイパーテキスト転送プロトコル（ＨＴＴＰ）、ファイル転送プロトコル（ＦＴＰ）、シンプル・オブジェクト・アクセス・プロトコル（ＳＯＡＰ）、又は無線アプリケーション・プロトコル（ＷＡＰ））を介した、クライアント・コンピューティング環境１００，２１０，２１５，２２０，２２５とのウェブ・サービスの処理及び相互通信のために動作可能な専用のコンピューティング環境サーバでもよい。各クライアント・コンピューティング環境１００，２１０，２１５，２２０，２２５は、１又は複数のコンピューティング・アプリケーション（例えば、ウェブブラウザ（図示されない）、又はサーバ・コンピューティング環境２０５へのアクセスを得るためのモバイル・デスクトップ環境（図示されない））をサポートするために動作可能なブラウザ・オペレーティングシステム１８０を備える。
【００４８】
オペレーションでは、ユーザ（図示されない）は、クライアント・コンピューティング環境で実行中のコンピューティング・アプリケーションと対話して、所望するデータ及び／又はコンピューティング・アプリケーションを得る。データ及び／又はコンピューティング・アプリケーションはサーバ・コンピューティング環境２０５に記憶され、協動するユーザとクライアント・コンピューティング環境１００，２１０，２１５，２２０，２２５を通して、典型的な通信ネットワーク１６０によって通信する。参加ユーザは、全体または一部がサーバ・コンピューティング環境２０５にウェブ・サービス・トランザクションを使用して収納された特定のデータ及びアプリケーションへのアクセスを要求する。これらのウェブ・サービス・トランザクションは、クライアント・コンピューティング環境１００，２１０，２１５，２２０，２２５と処理及び記憶のためのサーバ・コンピューティング環境の間で伝達される。サーバ・コンピューティング環境２０５は、ウェブ・サービスの生成、認証、暗号化、及び通信のためのコンピューティング・アプリケーション、プロセス、及びアプレットを収容し、他のサーバ・コンピューティング環境（図示されない）、サード・パーティ・サービス・プロバイダ（図示されない）、ネットワーク結合記憶装置（ＮＡＳ）、及び記憶領域ネットワーク（ＳＡＮ）と協働してその種のウェブ・サービス・トランザクションを実現する。
【００４９】
従って、本発明のシステム及び方法は、ネットワークにアクセスして対話するためのクライアント・コンピューティング環境、及びクライアント・コンピューティング環境と対話するためのサーバ・コンピューティング環境を有するコンピュータ・ネットワーク環境で利用できる。しかし、可動性装置プラットフォームを提供するシステム及び方法は、多様なネットワークに基づくアーキテクチャを用いて実施でき、従って、例示された実施例に限定されない。本発明のシステム及び方法が、実施例を参照して更に詳細に記述される。
【００５０】
［可動性装置プラットフォーム構成要素の協働］
図３は、典型的な可動性装置プラットフォームの構成要素の間の典型的な対話を示す。一般に、図３で示されるように、典型的な可動性装置プラットフォーム３００は、簡単には、選択された通信プロトコル（図示されない）で動作する通信インターフェース３０５を使用してクライアント・コンピューティング環境１００と協動する可動性装置３１０を含む。加えて、典型的な可動性装置プラットフォーム３００は、（図１の）通信ネットワーク１６０、及びサーバ・コンピューティング環境２０５を更に含む。
【００５１】
オペレーションでは、可動性装置は、クライアント・コンピューティング環境１００と通信インターフェース３０５を通して協働し、可動性装置３１０から起動して、ユーザとの対話のためにクライアント・コンピューティング環境１００で表示可能な１又は複数のコンピューティング・アプリケーション１８０’を実行する。コンピューティング・アプリケーション１８０’は、（限定されないが）従来のオペレーティングシステムのルック・アンド・フィールを提供するブラウザ・アプリケーション、ワープロ・アプリケーション、表計算、データベース・アプリケーション、ウェブ・サービス・アプリケーション、及びユーザ管理／選択アプリケーションを含む。加えて、可動性装置３１０は、サーバ・コンピューティング環境２０５とクライアント・コンピューティング環境１００を使用する通信ネットワーク１６０を介して協働し、データ及び／又はコンピューティング・アプリケーションをウェブ・サービスの形態で得る。
【００５２】
図４は、典型的な可動性装置プラットフォーム４００に対する構成要素の対話を示す。図４に示されるように、典型的な可動性装置プラットフォーム４００は、可動性装置（ＭＤ）４０５、コンピューティング環境４１０、通信ネットワーク４３５、可動性装置管理サーバ（ＭＤＭＳ）４２０、及びサード・パーティ・ウェブ・サービス・プロバイダ４４０を含む。加えて、ＭＤ組立分解図に更に示されるように、ＭＤ４０５は、処理装置（ＰＵ）、オペレーティングシステム（ＯＳ）、記憶メモリ（ＲＡＭ／ＲＯＭ）、及びＭＤ通信インターフェースを更に含む。また、ＭＤＭＳ４２０は、変換エンジン４２５、ウェブ・サービス４３０、及び暗号化エンジン４４５を更に含む。
【００５３】
オペレーションでは、ＭＤ４０５は、コンピューティング環境４１５と、１又は複数のＭＤ構成要素ＰＵ，ＯＳ，ＲＡＭ／ＲＯＭ、及びＭＤ通信インターフェースを使用して、ＭＤ／コンピューティング環境通信インターフェース４１０を通して通信する。コンピューティング環境４１５と通信するとき、ＭＤ４０５は、（限定されないが）モバイル・デスクトップ環境、ユーザ・カスタマイズ及び認証管理プログラム、及びウェブ・サービス・アプリケーションを構成の一部として含む１又は複数のコンピューティング・アプリケーション（図示されない）を起動する。いったん形成されたら、ＭＤ４０５はコンピューティング環境４１５と更に協働して、１又は複数のウェブ・サービス（例えば、ウェブ・サービス・データ、及び／又はコンピューティング・アプリケーション）を処理する。その様な状況で、ＭＤ４０５はまた、ウェブ・サービス・データ及び／又はコンピューティング・アプリケーションに、協動ＭＤＭＳ４２０から通信ネットワーク４３５を使用して、その種のウェブ・サービスを処理することを要求する。その種の実施例では、ＭＤＭＳ４２０は、ＭＤ４０５を認証して、参加ユーザ（図示されない）及び可動性装置４０５が正しい特権を要求されたデータ及び／又はコンピューティング・アプリケーションに対して有することを保証するために動作する。
【００５４】
もし適切に認証されたら、ＭＤＭＳ４２０は、要求されたデータ及び／又はコンピューティング・アプリケーションを局所的にＭＤＭＳ４２０に配置し、その種の要求されたデータ及び／又はコンピューティング・アプリケーション（例えば、ウェブ・サービス）を提供してＭＤ４０５を通信ネットワーク４３５によって認証するために更に動作するか、又はサード・パーティ・サービス・プロバイダ４４０と協働して、要求されたウェブ・サービスを、認証されたＭＤ４０５に対する通信に対して得るために動作する。サード・パーティ・ウェブ・サービス・プロバイダ４４０と協動するとき、ＭＤＭＳ４２０は、サード・パーティ・ウェブ・サービス・プロバイダ４４０から起動するウェブ・サービス４３０を、ＭＤ固有の形式に変換エンジン４２５を使用して変換するために動作する。加えて、認証されたＭＤ４０５からのウェブ・サービスに対する要求が満足されるとき、ＭＤＭＳ４２０は、要求されたウェブ・サービスを、暗号化エンジン４４５を使用して暗号化するために動作する。
【００５５】
加えて、ＭＤＭＳ４２０は、選択された暗号化プロトコル（例えば、ＰＫＩ暗号化）を使用してファイル・システム（図示されない）と更に協働し、ＭＤ４０５への通信のために要求されたデータを得る。協動するファイル・システムは、（限定されないが）ファイル・アロケーション・テーブル（ＦＡＴ）ファイル・システム、及び新技術のファイル・システム（ＮＴＦＳ）を含む。
【００５６】
図５は、図示されたネットワーク化されたコンピューティング環境に配置された可動性装置管理サーバ（ＭＤＭＳ）の典型的な構成要素を示すブロック図である。図示されるように、ネットワーク化されたコンピューティング環境は、典型的なＭＤＭＳ及び構成要素を各々が有するサイトＡ、サイトＢ、及びサイトＣを含む。サイトＡは、それ自体がオペレーティングシステム５０４を含むＭＤＭＳ５０２を含む。オペレーティングシステム（ＯＳ）５０４は、ＭＤＭＳ・Ｊａｖａ(登録商標）コード５０８を同様にサポートするＪａｖａ(登録商標）仮想マシン（ＪＶＭ）５０６をサポートするものとして示される。ＭＤＭＳ・Ｊａｖａ(登録商標）コード５０８は、その中に、ＳＯＡＰ連鎖５３８、及びサービス５４８を含む。加えて、オペレーティングシステム５０４は、ユーザ・データベース５１０、キー・データベース５１２、及びファイル記憶装置５１４をサポートして協働するために動作する。また、オペレーティングシステム５０４は、常駐アプリケーション５５０、ＪＶＭ５５２、及びＪＶＭ５５４をサポートして協働するために動作する。更に、ＯＳ５０４は、暗号化ドライバ、通信インターフェース・ドライバ、及びネットワーク・ドライバをサポートして協働するために動作する。ＯＳ５０４をミラーリングするとき、ＭＤＭＳ５０２はハードウェア（例えば、ハードウェア・アクセラレータ、暗号化ドライバと協働する通信インターフェース・ポート、及びネットワーク・インターフェース・カード（ＮＩＣ）、通信インターフェース・ドライバ、並びにネットワーク・ドライバ）をＭＤＭＳ５０２オペレーション中に保守する。
【００５７】
加えて、図示されるように、ＭＤＭＳは、ＭＤＭＳ５０２を協動するファイル／データ記憶装置５１８及び協動ＭＤＭＳ５２０，５２２に接続するために動作可能な記憶領域ネットワーク（ＳＡＮ）／ネットワーク結合記憶装置（ＮＡＳ）インターフェース５１６を含む。ＳＡＮ／ＮＡＳインターフェース５１６は、協動するファイル／データ記憶装置及びＭＤＭＳ５２０，５２２に、通信ネットワーク５１９を通して結合される。また、図示されるように、ＭＤＭＳ５０２は、ＭＤＭＳ５０２の近くに存在する（又は、ＭＤＭＳ５０２とは地理的に異なる）他のＭＤＭＳ環境５３６，５２８と協働する。ＭＤＭＳ環境５３６は、ＭＤＭＳ５３４及びファイル／データ記憶装置５２２を含む。同様に、ＭＤＭＳ環境５２８は、ファイル／データ記憶装置５２４に機能的に結合するＭＤＭＳ５２６，５３０を含む。
【００５８】
ＳＯＡＰ連鎖モジュール５３８の内部では、（限定されないが）データ通信をモニタするために動作するパケット・スニッファ、データ特権及びアクセスを維持するために動作するセキュリティ強化、サービス使用量を測定するために動作する使用量／モニタ、及び要求中の構成要素（例えば、図示されない認証されたＭＤ）と協働するためのウェブ・サービスをキャッシュするために動作するウェブ・サービス・プロキシを含む多数のサブモジュールが常駐する。これらのサブモジュールは、（限定されないが）パケット・スニッファ・サブモジュールで動作する管理デバッガ、セキュリティ／強化サブモジュールで動作するセキュリティ管理プログラム、使用量／モニタ・サブモジュールで動作する測定管理プログラム、及びウェブ・サービス・プロキシで動作するプロキシ管理プログラムを含む１又は複数のサブモジュール・アプリケーションによって制御可能である。
【００５９】
サービス・モジュール５４８の内部では、（限定されないが）可動性装置管理プログラム、暗号化管理プログラム（ＰＫＣＳ管理プログラム）、ファイル転送サービス、ウェブ・サービス管理プログラム、ウェブ・サービス・アクセス制御サービス、ウェブ・サービス測定サービス、Universal Description, Discovery, and Integration ディレクトリ（ＵＤＤＩディレクトリ）サービス、ＵＤＤＩリポジトリ・サービス、ファイル・システム（例えば、Ｏｍｎｉファイル・システム）、ＳＯＡＰプロキシ・サービス、ウェブ・サービス変換サービス、並びに（限定されないが）ロードバランシング、ＭＤＭＳホット・スワッピング、及びフェイルオーバーを含む機能を実行するために動作するサービス・オペレーションの質を含む多数のサービスが常駐する。
【００６０】
常駐アプリケーション５５０は、（限定されないが）セキュリティ、ルータ、ＳＡＮ／ＮＡＳ制御、及び暗号化制御を含む。ＪＶＭ５５２は、暗号化情報（例えば、キー情報）、ユーザ認証、サービス配分、及びＭＤＭＳ・Ｊａｖａ(登録商標）オペレーションを動作させて処理するコードを含む。比較してみると、ＪＶＭ５５４は、可動性装置ハードウェア構成をエミュレートすることを可能にするＪａｖａ(登録商標）コードを含む。
【００６１】
オペレーションでは、ＭＤＭＳは１又は複数の上記構成要素に影響力を行使して、ウェブ・サービスに対する要求を処理し、認証情報及び検証情報を使用して協動する構成要素に要求するための暗号化プロセスを使用してウェブ・サービスを安全に提供する。ＭＤＭＳ５０２は、他のＭＤＭＳ環境（例えば、ＭＤＭＳ環境５３６，５２８）と協働して、ウェブ・サービスに対する要求を満たす。
【００６２】
図示される実施例では、ＭＤＭＳ５０１は、ユーザ・データの安全な管理、アプリケーション及びサービスのレジストリ、並びに記憶装置の調整を提供する。オペレーションでは、ＭＤＭＳ５０１は、ユーザ・アクセスと管理機能の両方をサポートする。例えば、モバイル・デスクトップ・ユーザは、アプリケーション及びデータをＭＤＭＳ５０１を通して接続する。この状況では、接続すると直ぐ、ＭＤＭＳ５０１がユーザ認証及びユーザ選択をチェックする。アクセス制御が自動的に課され、「スキン」がアプリケーション及びサービスに適用されて、参加ユーザの環境に適合する。アプリケーション及びデータに対する要求はローカルデバイスの速度で処理され、システム改良のためにモニタされる。
【００６３】
更に、ＭＤＭＳ５０２は動作して、ユーザがパーミッションを有するファイル記憶装置（例えば、５１８，５３２，５２４）にアクセスし、ファイルを個人、グループ、又は世界に発行することを可能にする。この状況では、ＭＤＭＳ５０２は種々のＭＤＭＳ構成要素を利用して、ファイル、アプリケーション／サービス５４８，５５０、及び大容量記憶装置の管理を提供する。更に、協動する可動性装置（図示されない）を使用してリモート・ロケーションからＭＤＭＳ５０２に接続する機能を管理者に提供するので、ＭＤＭＳ５０２は更に強力な管理を可能にする。
【００６４】
図５に示されるように、ＭＤＭＳ５０２は多数の機能構成要素、及びモジュールを含む。これらの構成要素、及びモジュールは、（限定されないが）セキュリティ、可動性装置管理、暗号化キーの追跡及び管理、トランザクションの測定、ファイル・システム管理、アプリケーション／サービス管理、アプリケーション契約管理、ウェブ・サービス・モニタリング、従来インフラストラクチャの拡張、データ記憶管理、並びにクラスタの配置及び管理を含む機能を提供するために動作する。
【００６５】
図６は、ウェブ・サービスを処理する協動ＭＤＭＳ及びＭＤと協動するときに、典型的なＭＤＭＳ５０２によって実行される処理を示す。図示されるように、処理はブロック６００で始まり、協動ＭＤの認証が生成又は更新される必要があるか否かを決定するためにチェックが実行されるブロック６０５に進む。もし、ＭＤの認証は確立又は更新される必要がないことをブロック６０５におけるチェックが示したら、処理はブロック６００に戻り、そこから継続する。
【００６６】
しかし、もしブロック６０５におけるチェックがＭＤの認証が確立又は更新されることが必要であることを示したら、協動ＭＤがＭＤＭＳに対して新規か否か、及びＭＤＭＳによる初期認証を要求するか否かを決定するためにチェックが実行されるブロック６１０に処理は進む。もしブロック６１０におけるチェックが新規ＭＤに対する認証が要求されていることを示したら、ＭＤＭＳが新規ＭＤに対する認証情報を生成するブロック６１５に処理は進む。そこから、暗号化キーが生成されて認証中のＭＤと通信するブロック６２０に処理は進む。次に、認証情報及び暗号化情報を、認証中の協動ＭＤにブロック６２５において伝達する。次に、ＭＤＭＳは、ＭＤに対するグループ帰属関係を、協動するファイル・システムで認証情報及び暗号化情報を使用して関連付ける。次に、チェックがブロック６３５において実行され、認証が正常であったか否かを決定する。もしチェックが正常でなかったとブロック６３５において判断されると、エラーが発生したブロック６４０に処理は進む。次に、認証誤りが、ブロック６４５において修正される。そこから、処理はブロック６３５の入力に戻り、そこから進む。
【００６７】
しかし、もしブロック６３５において認証テストがパスしたことを識別したら、パーミッション変更が協動ＭＤに対して要求されるか否かを決定するためにチェックが実行されるブロック６５０に処理は進む。もしパーミッション変更が要求されることをブロック６５０におけるチェックが示したら、認証情報及び／又は暗号化情報が更新されるブロック６５５に処理は進む。そこから、処理はブロック６３５の入力に戻り、そこから継続する。
【００６８】
しかし、もしブロック６５０におけるチェックがパーミッション変更は必要ないことを示したら、ＭＤ認証構成が終わるブロック６６０に処理は進む。また、もしブロック６１０におけるチェックが、認証を要求するのは新規ＭＤではないことを示したら、処理はブロック６５０の入力に進み、そこから継続する。
【００６９】
図７は、ウェブ・サービスを処理する図示された実施例の典型的な可動性装置管理サーバ５０２によって実行される処理を示す。図７に示されるように、処理はブロック７００で始まり、ＭＤＭＳが協動する通信ネットワークとの通信に携わったか否かを決定するためにチェックが実行されるブロック７０５に進む。もしブロック７００におけるチェックが、通信に携わっていなかったことを示したら、処理はブロック７００に戻り、そこから継続する。しかし、もしブロック７０５において、協動する通信ネットワークを用いてＭＤＭＳが通信に携わってきたと決定されたら、１又は複数の協動ＭＤが、ＭＤＭＳから要求された１又は複数のウェブ・サービスを有するか否かを決定するためにチェックが実行されるブロック７１０に処理は進む。もしブロック７１０におけるチェックが、ウェブ・サービスに対するＭＤ要求が存在しないことを示したら、処理はブロック７１０の入力に戻り、そこから継続する。
【００７０】
しかし、もしブロック７１０におけるチェックが、１又は複数の協動ＭＤによるウェブ・サービスに対する要求が存在することを示したら、ＭＤがＭＤＭＳによってＭＤセキュリティ及び認証サービスを使用して認証されるブロック７１５に処理は進む。次に、チェックがブロック７２０において実行され、ＭＤが認証されていたか否かを決定する。もしＭＤが認証されていたら、ウェブ・サービス要求が処理されるブロック７３５に処理は進む。次に、ウェブ・サービスが、ＭＤＭＳ及びＭＤによって、ブロック７４０及びブロック７４５において実行される。
【００７１】
しかし、もしブロック７２０におけるチェックが、ＭＤが認証されていなかったことを示したら、エラーが発生するブロック７２５に処理は進む。そこから、認証が再度試みられるか否かを決定するためにチェックが実行されるブロック７２７に処理は進む。もしブロック７２７におけるチェックが、ＭＤ認証は再度試みられることを示したら、処理はブロック７２０に戻り、そこから継続する。しかし、もしブロック７２７におけるチェックが、ＭＤ認証は再度試みられないことを示したら、処理はブロック７３０で終了する。
【００７２】
図８は、ウェブ・サービス処理の他の実施例で典型的な可動性装置管理サーバ５０２によって実行される処理を示す。図８に示されるように、処理はブロック８００で始まり、１又は複数の認証されたＭＤが要求された１又は複数のウェブ・サービスを有するか否かを決定するためにチェックが実行されるブロック８０５に進む。もし、ブロック８０５において、認証されたＭＤからウェブ・サービスに対する要求が存在しないことが決定されたら、処理はブロック８００に戻り、そこから継続する。しかし、もしブロック８０５において、１又は複数の認証されたＭＤからのウェブ・サービスに対する要求が存在することが決定されたら、ＭＤＭＳがデータ及び／又はコンピューティング・アプリケーションを協動するファイル記憶装置、協動するウェブ・サービス・プロバイダ、及び他の協動ＭＤＭＳの何れかから検索するブロック８１０に処理は進む。そこから、ブロック８１５においてチェックが実行され、検索されたウェブ・サービスがＭＤ固有のウェブ・サービス形式への変換を要求するか否かが決定される。もしブロック８１５が変換は必要でないことを示したら、要求されたデータ及び／又はコンピューティング・アプリケーションが（例えば、公開／秘密キーを使用する）選択された暗号化プロトコル毎に暗号化されるブロック８２５に処理は進む。そこから、暗号化されたデータ及び／又はコンピューティング・アプリケーションを、要求中の認証されたＭＤに伝達するブロック８３０に処理は進む。そこから、ＭＤオペレーションが測定され、使用量、挙動、類似点、及び類似のメトリクスをＭＤＭＳによってブロック８３５において得る。次に、測定データは、ブロック８４０において後で使用するために記憶される。次に、ブロック８４５においてチェックが実行され、記憶された測定データがリポートされるか否かを決定する。もしブロック８４５におけるチェックが測定データがリポートされることを示したら、測定データが解析されて測定リポートを生成するブロック８５０に処理は進む。次に、処理はブロック８５５で終了する。
【００７３】
しかし、もしブロック８１５におけるチェックが変換は必要であることを示したら、要求されたウェブ・サービスがＭＤ固有のウェブ・サービスに変換されるブロック８２０に処理は進む。そこから、ブロック８２５に処理は進み、そこから継続する。
【００７４】
図９は、ウェブ・サービス処理の他の実施例で典型的な可動性装置管理サーバ５０２によって実行される処理を示す。図９に示されるように、処理はブロック９００で始まり、１又は複数の認証されたＭＤが要求された１又は複数のウェブ・サービスを有するか否かを決定するためにチェックが実行されるブロック９０５に進む。もし、ブロック９０５において、認証されたＭＤからウェブ・サービスに対する要求が存在しないことが決定されたら、処理はブロック９００に戻り、そこから継続する。しかし、もしブロック９０５において、１又は複数の認証されたＭＤからのウェブ・サービスに対する要求が存在することが決定されたら、ＭＤＭＳがデータ及び／又はコンピューティング・アプリケーションを協動するファイル記憶装置、協動するウェブ・サービス・プロバイダ、及び他の協動ＭＤＭＳの何れかから検索するブロック９１０に処理は進む。そこから、ブロック９１５においてチェックが実行され、検索されたウェブ・サービスがＭＤ固有のウェブ・サービス形式への変換を要求するか否かが決定される。もしブロック９１５が変換は必要でないことを示したら、要求されたデータ及び／又はコンピューティング・アプリケーションが（例えば、公開／秘密キーを使用する）選択された暗号化プロトコル毎に暗号化されるブロック９２５に処理は進む。そこから、暗号化されたデータ及び／又はコンピューティング・アプリケーションを、要求中の認証されたＭＤに伝達するブロック９３０に処理は進む。そこから、チェックがブロック９３５で実行され、ＭＤＭＳと協動ＭＤの間の通信リンクがアクティブか否かを決定する。
【００７５】
もしブロック９３５におけるチェックがリンクはアクティブであることを示したら、キャッシュされたトランザクションが同期されるブロック９４５に処理は進む。そこから、ＭＤオペレーションが測定され、使用量、挙動、類似点、及び類似のメトリクスをＭＤＭＳによってブロック９５０において得る。次に、測定データは、ブロック９５５において後で使用するために記憶される。次に、ブロック９６０においてチェックが実行され、記憶された測定データがリポートされるか否かを決定する。もしブロック９６０におけるチェックが測定データがリポートされることを示したら、測定データが解析されて測定リポートを生成するブロック９６５に処理は進む。次に、処理はブロック９７０で終了する。
【００７６】
しかし、もしブロック９３５におけるチェックが通信リンクはアクティブでないことを示したら、要求されたウェブ・サービスがキャッシュされるブロック９４０に処理は進む。そこから処理はブロック９３５の入力に進み、そこから継続する。また、もしブロック９１５におけるチェックが変換は必要であることを示したら、要求されたウェブ・サービスがＭＤ固有のウェブ・サービスに変換されるブロック９２０に処理は進む。そこから、処理はブロック９２５に進み、そこから継続する。
【００７７】
要約すると、本発明のシステム及び方法は、可動性装置プラットフォームの一部として使用する可動性装置管理サーバを提供する。しかし、本発明は、種々の変更、及び代替構造を受け入れる余地があることが分かる。本発明を本明細書に記載された特定の構造に限定する意図はない。逆に、本発明は、本発明の範囲内の全ての変更、代替構造、及び同等物をカバーする。
【００７８】
また、本発明が（有線、及び無線コンピュータ環境の両方を含む）多様なコンピュータ環境、部分的コンピューティング環境、及び現実の環境で利用されることを明記する。本明細書に記載された種々の技術は、ハードウェア、ソフトウェア、又は両方の組合せで利用される。本発明の技術は、プロセッサ、（揮発性、及び非揮発性メモリ、及び／又は記憶装置要素を含む）プロセッサによって読み取り可能な記憶媒体、少なくとも１つの入力装置、及び少なくとも１つの出力装置を含むプログラム可能なコンピュータを維持するコンピューティング環境で実施されることが好ましい。種々の命令セットと協動するコンピューティング・ハードウェア論理回路がデータに適用され、上記機能を実行し出力情報を生成する。出力情報は、１又は複数の出力装置に適用される。典型的なコンピューティング・ハードウェアによって使用されるプログラムは、コンピュータ・システムと対話するための高レベル手続き言語、又はオブジェクト指向プログラミング言語を含む種々のプログラミング言語で実施されることが好ましい。もし所望するなら、図示された本発明の装置及び方法は、アセンブリ言語、又は機械語で実施される。何れにしても、言語はコンパイラ型言語、又はインタープリタ型言語である。その種の各コンピュータ・プログラムは、記憶媒体（又は、記憶装置）が上記手続きを実行するためにコンピュータによって読み取られるときにコンピュータを設定して動作させるための一般の（又は、特定目的の）プログラム可能なコンピュータによって読み取り可能な記憶媒体（又は、記憶装置）（例えば、ＲＯＭ、又は磁気ディスク）に記憶されることが好ましい。また、本発明の装置は、コンピュータ・プログラムで構成されたコンピュータ読み取り可能な記憶媒体として実施されるとも考えられ、記憶媒体は、コンピュータを特定の予め定められた方法で動作させるように構成される。
【００７９】
以上、本発明の好ましい実施例について図示し記載したが、特許請求の範囲によって定められる本発明の範囲から逸脱することなく種々の変形及び変更がなし得ることは、当業者には明らかであろう。
【図面の簡単な説明】
【００８０】
【図１】本発明のシステム及び方法の実施例による典型的なコンピューティング環境のブロック図である。
【図２】本発明のシステム及び方法による典型的なコンピューティング・ネットワーク環境のブロック図である。
【図３】本発明のシステム及び方法による典型的なコンピューティング構成要素の間の対話を示すブロック図である。
【図４】本発明のシステム及び方法による可動性装置プラットフォームの実施例のブロック図である。
【図５】本発明のシステム及び方法による可動性装置管理サーバの典型的なアーキテクチャのブロック図である。
【図６】本発明のシステム及び方法によるユーザ及び装置管理を処理する可動性装置管理サーバによって実行される処理の流れ図である。
【図７】本発明のシステム及び方法によるウェブ・サービス要求を処理するときに、可動性装置管理サーバによって実行される処理の流れ図である。
【図８】本発明のシステム及び方法によるウェブ・サービス処理の間にウェブ・サービスを変換するときに可動性装置管理サーバによって実行される処理の流れ図である。
【図９】本発明のシステム及び方法による測定及び断続的接続処理を実行するときに、可動性装置管理サーバによって実行される処理の流れ図である。
【符号の説明】
【００８１】
１００      コンピューティング・システム
１０５      バス
１１０      中央処理装置（ＣＰＵ）
１１２      相互接続
１１５      コプロセッサ
１２０      メモリ制御装置
１２５      ランダム・アクセス・メモリ（ＲＡＭ）
１３０      読出し専用メモリ（ＲＯＭ）
１３５      周辺機器制御装置
１４０      プリンタ
１４５      キーボード
１５０      マウス
１５５      データ記憶ドライブ
１６０，４３５，５１９      通信ネットワーク
１６３      ディスプレイ制御装置
１６５      ディスプレイ
１７０      ネットワーク・アダプタ
１８０，５０４      オペレーティングシステム
１８０’      コンピューティング・アプリケーション
２００，４１０，４１５      コンピューティング環境
２０５      サーバ
２１０      タブレット・パーソナル・コンピュータ
２１５      携帯電話
２２０      電話
２２５      携帯情報端末
３００，４００      可動性装置プラットフォーム
３０５      通信インターフェース
３１０，４０５      可動性装置（ＭＤ）
４２０，５０１，５０２，５２０，５２２，５２６，５２８，５３４，５３６      可動性装置管理サーバ（ＭＤＭＳ）
４２５      変換エンジン
４３０      ウェブ・サービス
４４０      サード・パーティ・ウェブ・サービス・プロバイダ
４４５      暗号化エンジン
５０６      Ｊａｖａ仮想マシン（ＪＶＭ）
５０８      ＭＤＭＳ・Ｊａｖａコード
５１０      ユーザ・データベース
５１２      キー・データベース
５１４      ファイル記憶装置
５１６      記憶領域ネットワーク（ＳＡＮ）／ネットワーク結合記憶装置（ＮＡＳ）インターフェース
５１８，５２４，５３２      ファイル／データ記憶装置
５５０      常駐アプリケーション
５５２，５５４      Ｊａｖａ仮想マシン（ＪＶＭ）
【図１】
2007519066.tif 000003
【図２】
2007519066.tif 000004
【図３】
2007519066.tif 000005
【図４】
2007519066.tif 000006
【図５】
2007519066.tif 000007
【図６】
2007519066.tif 000008
【図７】
2007519066.tif 000009
【図８】
2007519066.tif 000010
【図９】
2007519066.tif 000011
【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
ウェブ・サービスを提供するコンピュータ・サーバであって、
オペレーティングシステムを実行するために動作するハードウェア・プラットフォーム、
前記コンピュータ・サーバと協働する構成要素の間で、ウェブ・サービス及び関連するウェブ・サービス・トランザクション・データを通信するために動作する通信インターフェース、
ウェブ・サービスを前記協働する構成要素によって処理できる固有の形式に変換できる変換モジュール、及び
前記協働する構成要素の認証情報及び検証情報を使用して１又は複数のウェブ・サービスに含まれるデータ及びコンピューティング・アプリケーションを暗号化するために動作する暗号化モジュールを含むことを特徴とするコンピュータ・サーバ。
【請求項２】
可動性装置管理プログラム、暗号化管理プログラム、ファイル転送管理プログラム、ウェブ・サービス管理プログラム、ウェブ・サービス・アクセス、ウェブ・サービス測定、ＵＤＤＩディレクトリ、ＵＤＤＩリポジトリ、ファイル・システム、ＳＯＡＰプロキシ、変換プログラム、及びサービスの質の何れかを含む常駐ウェブ・サービスを更に含むことを特徴とする、請求項１に記載のコンピュータ・サーバ。
【請求項３】
前記協働する構成要素を認証するためのセキュリティ・アプリケーション、通信ルータ、記憶領域ネットワーク（ＳＡＮ）／ネットワーク結合記憶装置（ＮＡＳ）制御装置アプリケーション、及び暗号化制御の何れかを含む常駐アプリケーションを更に含むことを特徴とする、請求項２に記載のコンピュータ・サーバ。
【請求項４】
前記コンピュータ・サーバに、可動性装置ハードウェア・エミュレータ、暗号化制御、ユーザ認証、サービス制御、及びコンピュータ・サーバ制御の何れかを含むオペレーションを実行するように指示するための少なくとも１つの命令セットを提供するために動作可能なＪａｖａ(登録商標）仮想マシンを更に含むことを特徴とする、請求項３に記載のコンピュータ・サーバ。
【請求項５】
前記協働する構成要素を動作させる参加ユーザを表すデータを有するユーザ・データベースを更に含むことを特徴とする、請求項４に記載のコンピュータ・サーバ。
【請求項６】
前記コンピュータ・サーバによる１又は複数の暗号化プロセスで使用される暗号化キーを表すデータを有するキー・データベースを更に含むことを特徴とする、請求項５に記載のコンピュータ・サーバ。
【請求項７】
ファイルを記憶するために動作するファイル／データ記憶装置を更に含むことを特徴とする、請求項６に記載のコンピュータ・サーバ。
【請求項８】
前記ファイル／データ記憶装置が、暗号化されたファイルを記憶して処理するために動作することを特徴とする、請求項７に記載のコンピュータ・サーバ。
【請求項９】
前記コンピュータ・サーバを協働するデータ記憶装置に接続するために動作するＳＡＮ／ＮＡＳ通信インターフェースを更に含むことを特徴とする、請求項８に記載のコンピュータ・サーバ。
【請求項１０】
ウェブ・サービスを処理しているときに暗号化命令を処理するために動作する暗号化ドライバを更に含むことを特徴とする、請求項９に記載のコンピュータ・サーバ。
【請求項１１】
協働する通信ハードウェア構成要素とインターフェースしてウェブ・サービスと通信するために動作する通信インターフェース・ドライバを更に含むことを特徴とする、請求項１０に記載のコンピュータ・サーバ。
【請求項１２】
前記コンピュータ・サーバが１又は複数のコンピュータ・サーバ・サブモジュールを起動して、ウェブ・サービスに対する要求を処理し、
前記サブモジュールが、常駐サービス、常駐アプリケーション、ＳＯＡＰ連鎖、及びＪａｖａ(登録商標)仮想マシンの何れかを含むことを特徴とする、請求項１１に記載のコンピュータ・サーバ。
【請求項１３】
前記コンピュータ・サーバが、ウェブ・サービスに対する要求を提供する少なくとも１つの可動性装置と協働することを特徴とする、請求項１に記載のコンピュータ・サーバ。
【請求項１４】
前記可動性装置を認証することができる管理モジュールを更に含むことを特徴とする、請求項１に記載のコンピュータ・サーバ。
【請求項１５】
協働するコンピューティング環境の間でデータ及びコンピューティング・アプリケーションを安全に通信するための方法であって、
ウェブ・サービスを処理できるコンピュータ・サーバを提供し、
前記コンピュータ・サーバとウェブ・サービスを要求する協働する構成要素の間の通信を確立し、
前記協働する構成要素を認証して、要求されたウェブ・サービスに対する権利及びパーミッションを有することを保証し、及び
ウェブ・サービスを認証された協働する構成要素に伝達する諸ステップを含むことを特徴とする方法。
【請求項１６】
前記データ及びコンピューティング・アプリケーションを、ウェブ・サービスの一部として暗号化するステップを更に含むことを特徴とする、請求項１５に記載の方法。
【請求項１７】
前記要求されたウェブ・サービスを、前記ウェブ・サービスを要求中の前記協働する構成要素に固有の形式に変換するステップを更に含むことを特徴とする、請求項１５に記載の方法。
【請求項１８】
前記認証された協働する構成要素に伝達される前記ウェブ・サービスで、オペレーションの測定を実行するステップを更に含むことを特徴とする、請求項１５に記載の方法。
【請求項１９】
ウェブ・サービスを処理するための方法であって、
協働する構成要素からウェブ・サービスに対する要求を受信し、
前記協働する構成要素を認証して、前記協働する構成要素が前記要求されたウェブ・サービスに対する権利及び特権を有するか否かを識別し、
前記協働する構成要素を認証したら直ぐ、要求中の構成要素に対する通信のための前記ウェブ・サービスを暗号化し、及び
前記要求されたウェブ・サービスを、前記認証された協働する構成要素に伝達する諸ステップを含むことを特徴とする方法。
【請求項２０】
前記要求されたウェブ・サービスを、要求中の構成要素に固有の形式に変換するステップを更に含むことを特徴とする、請求項１９に記載の方法。
【請求項２１】
前記認証された協働する構成要素に伝達される前記ウェブ・サービスで、オペレーションの測定を実行するステップを更に含むことを特徴とする、請求項２０に記載の方法。
【請求項２２】
以下の方法を実行するコンピュータに指示するためのコンピュータ読み取り可能な命令を有するコンピュータ読み取り可能な媒体であって、前記方法が、
協働する構成要素からウェブ・サービスに対する要求を受信し、
前記協働する構成要素を認証して、前記協働する構成要素が前記要求されたウェブ・サービスに対する権利及び特権を有するか否かを識別し、
前記協働する構成要素を認証したら直ぐ、要求中の構成要素に対する通信のための前記ウェブ・サービスを暗号化し、及び
前記要求されたウェブ・サービスを、前記認証された協働する構成要素に伝達する諸ステップを含むことを特徴とする媒体。
【請求項２３】
ウェブ・サービスを安全に伝達するシステムであって、
ウェブ・サービスを処理するための第１の手段、
ウェブ・サービス、及び関連するウェブ・サービス・トランザクション・データを記憶するための第２の手段、
前記ウェブ・サービスを、協働する構成要素によって提供された認証情報及び検証情報を使用して暗号化するための第３の手段、
前記ウェブ・サービスを、前記協働する構成要素によって処理できる固有の形式に変換するための第４の手段、及び
前記ウェブ・サービスを、前記協働する構成要素に伝達するための第５の手段を含むことを特徴とするシステム。
【請求項２４】
前記協働する構成要素による前記ウェブ・サービスの使用量を測定するための第６の手段を更に含むことを特徴とする、請求項２３に記載のシステム。
【請求項２５】
前記協働する構成要素を認証するための第７の手段を更に含むことを特徴とする、請求項２４に記載のシステム。
【国際調査報告】
2007519066.tif 000012